(57)【要約】【課題】ステーション装置に対してＬＡＮを通じて複数個の端末装置が接続される場合であっても、ブロードキャストやマルチキャストのパケットの送出時において、不具合が発生しないようにする。【解決手段】ステーション装置は、無線ＬＡＮとは異なるＬＡＮに接続するためのＬＡＮインターフェースと、ＬＡＮインターフェースを介して到来するパケットに含まれる送信元識別情報を記憶する記憶手段と、アクセスポイント装置から無線ＬＡＮを通じて送られてくるパケットに含まれる送信元識別情報と、記憶手段で記憶した送信元識別情報とを比較して、両者が一致したときには、当該パケットデータを破棄するデータ破棄手段とを備える。【選択図】図４
2005252415.tif 000002
【特許請求の範囲】
【請求項１】
無線ＬＡＮ（Ｌｏｃａｌ  Ａｒｅａ  Ｎｅｔｗｏｒｋ）用アクセスポイント装置と、前記アクセスポイント装置に対して無線ＬＡＮを通じて接続される１または複数個の無線ＬＡＮ用端末装置側ステーション装置とを備える無線ＬＡＮシステムであって、
前記ステーション装置は、
前記無線ＬＡＮとは異なるＬＡＮに接続するためのＬＡＮインターフェースと、
前記ＬＡＮインターフェースを介して到来するパケットに含まれる送信元識別情報を記憶する記憶手段と、
前記アクセスポイント装置から前記無線ＬＡＮを通じて送られてくるパケットに含まれる送信元識別情報と、前記記憶手段で記憶した前記送信元識別情報とを比較して、両者が一致したときには、当該パケットデータを破棄するデータ破棄手段と、
を備えることを特徴とする無線ＬＡＮシステム。
【請求項２】
請求項１に記載の無線ＬＡＮシステムにおいて、
前記無線ＬＡＮとは異なるＬＡＮは、有線ＬＡＮであって、
前記ステーション装置は、前記無線ＬＡＮ用のドライバ部と、前記ＬＡＮインターフェースを含む有線ＬＡＮ用ドライバ部と、前記無線ＬＡＮ用ドライバ部と前記有線ＬＡＮ用ドライバ部との間を橋渡しするブリッジ部とを備え、
前記記憶手段と前記データ破棄手段とは前記無線ＬＡＮ用のドライバ部に設けられると共に、
前記ブリッジ部には、前記ＬＡＮインターフェースを通じて送られてくるパケットの送信元識別情報と、前記アクセスポイント装置から前記無線ＬＡＮを通じて送られてくるパケットの送信元識別情報とをテーブルとして記憶して通信管理する手段を備える
ことを特徴とする無線ＬＡＮシステム。
【請求項３】
無線ＬＡＮ（Ｌｏｃａｌ  Ａｒｅａ  Ｎｅｔｗｏｒｋ）用アクセスポイント装置と、前記アクセスポイント装置に対して無線ＬＡＮを通じて接続されると共に、前記無線ＬＡＮとは異なるＬＡＮに接続するためのＬＡＮインターフェースを備える１または複数個の無線ＬＡＮ用端末装置側ステーション装置と、前記ステーション装置の前記ＬＡＮインターフェースに対して前記無線ＬＡＮとは異なるＬＡＮを通じて接続される複数個の端末装置とを備える無線ＬＡＮシステムにおける通信管理方法であって、
前記ステーション装置は、
前記ＬＡＮインターフェースを介して到来するパケットに含まれる送信元識別情報を記憶する記憶工程と、
前記アクセスポイント装置から前記無線ＬＡＮを通じて送られてくるパケットに含まれる送信元識別情報と、前記記憶工程で記憶した前記送信元識別情報とを比較して、両者が一致したときには、当該パケットデータを破棄するデータ破棄工程と、
を備えることを特徴とする無線ＬＡＮシステムにおける通信管理方法。
【発明の詳細な説明】
【技術分野】
【０００１】
この発明は、無線ＬＡＮ（Ｌｏｃａｌ Ａｒｅａ Ｎｅｔｗｏｒｋ）システムおよび無線ＬＡＮシステムにおける通信管理方法に関する。
【背景技術】
【０００２】
無線ＬＡＮとしては、例えば、ＩＥＥＥ（Ｔｈｅ Ｉｎｓｔｉｔｕｔｅ Ｅｌｅｃｔｒｉｃａｌ ａｎｄ Ｅｌｅｃｔｒｏｎｉｃｓ  Ｅｎｇｉｎｅｅｒｓ，Ｉｎｃ．）８０２．１１規格のものが普及しつつある。
【０００３】
このＩＥＥＥ８０２．１１規格の無線ＬＡＮの場合、一つの無線ＬＡＮ用アクセスポイント装置（以下、単にアクセスポイント装置という）に対して、複数個の無線ＬＡＮ用端末装置側ステーション装置（以下、単にステーション装置という）が接続されて構成される。
【０００４】
図５は、この無線ＬＡＮシステムの構成例を示すもので、１０は、アクセスポイント装置であり、この例では、イーサネット（登録商標）などの有線ＬＡＮ１１に接続されている。有線ＬＡＮ１１には、例えば、パーソナルコンピュータなどの端末装置１２が、１個または複数個、接続されている。
【０００５】
アクセスポイント装置１０に対しては、１個または複数個のステーション装置２１，２２，・・・，２ｎ（ｎは１以上の整数）が設けられ、それぞれ無線リンクにより接続される。アクセスポイント装置１０とステーション装置２１，２２，・・・，２ｎとの間で形成される無線リンクは、無線ＬＡＮ１３を構成する。
【０００６】
この例では、ステーション装置２１，２２，・・・，２ｎのそれぞれには、パーソナルコンピュータなどの端末装置３１，３２，・・・，３ｎが接続される。
【０００７】
アクセスポイント装置１０と、ステーション装置２１，２２，・・・，２ｎのそれぞれとの間では、一つの周波数が使用される。そして、ＣＳＭＡ／ＣＡ（搬送波感知多重アクセス／衝突回避方式：Ｃａｒｒｉｅｒ Ｓｅｎｓｅ Ｍｕｌｔｉｐｌｅ Ａｃｃｅｓｓ ｗｉｔｈ Ｃｏｌｌｉｓｉｏｎ Ａｖｏｉｄａｎｃｅ）方式により、衝突が回避されて、複数のステーション装置２１，２２，・・・，２ｎとアクセスポイント装置１０との間の同時通信が可能とされている（例えば特許文献１（特開平１１−３０８６７３号公報）参照）。
【０００８】
そして、アクセスポイント装置１０では、このアクセスポイント装置１０を通過するパケットのヘッダに含まれる送信側の端末装置および受信側の端末装置の識別情報としてのＭＡＣ（Ｍｅｄｉａ  Ａｃｃｅｓｓ  Ｃｏｎｔｒｏｌ）アドレスを、通信管理テーブルを用いて管理することにより、無線ＬＡＮ１３を通じた通信の管理をするようにしている。
【０００９】
図６は、図５に示した従来の一般的な構成の無線システムにおいて、例えば端末装置３１〜３ｎのいずれかから、ブロードキャストのパケットが送出された場合の通信シーケンスの例を示す図である。図６の例は、ＡＲＰ（Ａｄｄｒｅｓｓ  Ｒｅｓｏｌｕｔｉｏｎ  Ｐｒｏｔｏｃｏｌ）要求メッセージのパケット（以下、ＡＲＰリクエストという）を、端末装置３１がブロードキャストにより送出した場合の例である。
【００１０】
図６においては、端末装置３１は、送信元識別情報として自端末装置のＭＡＣアドレスをヘッダに含むＡＲＰリクエストのパケットをブロードキャストにより送出する。端末装置３１から送出されたＡＲＰリクエストのパケットは、ステーション装置２１を通じ、無線ＬＡＮ１３を通じてアクセスポイント装置１０に送られる。
【００１１】
アクセスポイント装置１０は、ＡＲＰリクエストのパケットを受信すると、当該パケットのヘッダに含まれる端末装置３１のＭＡＣアドレスを無線ＬＡＮ１３側の端末装置の識別情報として通信管理テーブルに登録すると共に、当該パケットはブロードキャストのパケットであるので、有線ＬＡＮ１１と、無線ＬＡＮ１３の両方に、当該ＡＲＰリクエストのパケットを送出する。
【００１２】
無線ＬＡＮ１３側に送出されたＡＲＰリクエストのパケットは、他のステーション装置を通じて他の端末装置に送られると共に、ステーション装置２１を通じて端末装置３１にも戻ってくる。しかし、端末装置３１では、当該受信したパケットのヘッダに含まれる送信元識別情報から、自端末装置が送出したブロードキャストパケットであることを認識して、当該受信したＡＲＰリクエストのパケットを破棄するようにする。
【００１３】
一方、アクセスポイント装置１０から送られてきたＡＲＰリクエストのパケットを受信した端末装置１２は、受信したパケットが自端末装置１２宛てである場合には、ＡＲＰリクエストに対するＡＲＰ応答のメッセージ（以下、ＡＲＰレスポンスという）のパケットを、宛先を端末装置３１のＭＡＣアドレスとすると共に、送信元識別情報として自端末装置１２のＭＡＣアドレスをヘッダに含めて、ユニキャストによりアクセスポイント装置１０に送る。
【００１４】
アクセスポイント装置１０は、このＡＲＰレスポンスのパケットを送ってきた端末装置１２のＭＡＣアドレスを有線ＬＡＮ１１側の端末装置として通信管理テーブルに登録すると共に、ＡＲＰレスポンスのパケットを無線ＬＡＮ１３およびステーション装置２１を通じて端末装置３１に送る。
【００１５】
端末装置３１は、ＡＲＰレスポンスを受け取ると、所定のデータパケットを、ユニキャストにより端末装置１２に宛ててステーション装置２１およびアクセスポイント装置１０を通じて送る。また、端末装置１２は、所定のデータパケットを、ユニキャストにより端末装置３１に宛ててアクセスポイント装置１０およびステーション装置２１を通じて送る。つまり、両端末装置３１，１２間でデータ通信が行なわれることになる。
【００１６】
上記の特許文献は、次の通りである。
【特許文献１】特開平１１−３０８６７３号公報
【発明の開示】
【発明が解決しようとする課題】
【００１７】
ところで、この種の無線ＬＡＮシステムにおいて、ステーション装置にも、例えばイーサネット（登録商標）などの有線ＬＡＮの接続機能部を設け、当該ステーション装置に対して、例えばハブを介して複数個の端末装置を前記ＬＡＮにより接続することが考えられている。
【００１８】
この場合に、複数個の端末装置がハブを通じて接続されたステーション装置では、アクセスポイント装置１０と同様に、ハブを介してどの端末装置からパケットが送られてきたか、また、無線ＬＡＮ１３を介して送られてきたパケットをハブを介してどの端末装置に送るようにするか、などを管理する必要がある。
【００１９】
前述したように、アクセスポイント装置１０には、これを通過するパケットに含まれる端末装置のＭＡＣアドレスを、通信管理テーブルを用いて管理する機能があるので、アクセスポイント装置１０の当該通信管理機能を、ステーション装置に移植することにより、ステーション装置に有線ＬＡＮおよびハブを通じて接続された複数個の端末装置と、無線ＬＡＮ１３を通じた他の端末装置との通信を可能とすることができると考えられる。
【００２０】
しかしながら、ステーション装置に、アクセスポイント装置の通信管理機能のみを移植しただけでは、以下に説明するように、ステーション装置に有線ＬＡＮおよびハブを通じて接続された端末装置から、ブロードキャストのパケットが送出された場合には誤動作が生じ、データ通信ができなくなってしまったりする問題が発生する。
【００２１】
すなわち、例えばハブを介してステーション装置の有線ＬＡＮ接続端子に接続されている複数個の端末装置の一つの端末装置Ａからブロードキャストによるパケットが送出されると、当該ステーション装置の通信管理機能により、当該パケットに含まれる送信元端末装置ＡのＭＡＣアドレスが通信管理テーブルに登録される。このとき、その端末装置Ａは、有線ＬＡＮ接続端子側に接続されているとステーション装置では認識する。
【００２２】
このブロードキャストのパケットは、前述の図６の説明からわかるように、ステーション装置からアクセスポイント装置１０に送信されると共に、アクセスポイント装置１０からステーション装置に戻ってくる。
【００２３】
そして、ステーション装置では、無線ＬＡＮ１３を通じて戻ってきたブロードキャストのパケットに含まれる送信元端末装置のＭＡＣアドレスを認識し、当該ＭＡＣアドレスの端末装置は無線ＬＡＮ１３を通じてアクセスポイント装置１０側に接続されていると通信管理テーブルに登録するようにする。
【００２４】
ここで、当該パケットはブロードキャストのパケットであり、送信元端末装置のＭＡＣアドレスは、端末装置ＡのＭＡＣアドレスであるので、ステーション装置の通信管理機能部では、当該ＭＡＣアドレスの端末装置Ａは、無線ＬＡＮ１３側の端末装置として管理テーブルの内容を更新したことになる。したがって、ステーション装置は、端末装置Ａを無線ＬＡＮ１３側の端末装置と誤認識している状態になる。
【００２５】
その後、図６の場合と同様にして、例えば端末装置１２からブロードキャストパケットに対する応答のパケットがユニキャストによりアクセスポイント装置１０および無線ＬＡＮ１３を通じてステーション装置に送られてくるが、ステーション装置では、上述のように、応答のパケットの宛先である端末装置Ａは、無線ＬＡＮ側にあると誤認識されているので、応答のパケットは、端末装置Ａには到達せず、データ通信が不能となってしまう。
【００２６】
ステーション装置に接続される複数個の端末装置の一つから、マルチキャストのパケットが送出される場合にも、当該マルチキャストの宛先の端末装置として、パケットを送出した端末装置が接続されているステーション装置に接続されている他の端末装置を含む場合には、当該マルチキャストパケットが同じステーション装置に戻ってくるので、上述と同様の問題が生じる。
【００２７】
この発明は、以上の点にかんがみ、ステーション装置に対してＬＡＮを通じて複数個の端末装置が接続される場合であっても、上述のようなブロードキャストやマルチキャストのパケットの送出時において、不具合が発生しないようにしたことを目的とする。
【課題を解決するための手段】
【００２８】
上記の課題を解決するために、請求項１の発明は、
無線ＬＡＮ（Ｌｏｃａｌ  Ａｒｅａ  Ｎｅｔｗｏｒｋ）用アクセスポイント装置と、前記アクセスポイント装置に対して無線ＬＡＮを通じて接続される１または複数個の無線ＬＡＮ用端末装置側ステーション装置とを備える無線ＬＡＮシステムであって、
前記ステーション装置は、
前記無線ＬＡＮとは異なるＬＡＮに接続するためのＬＡＮインターフェースと、
前記ＬＡＮインターフェースを介して到来するパケットに含まれる送信元識別情報を記憶する記憶手段と、
前記アクセスポイント装置から前記無線ＬＡＮを通じて送られてくるパケットに含まれる送信元識別情報と、前記記憶手段で記憶した前記送信元識別情報とを比較して、両者が一致したときには、当該パケットデータを破棄するデータ破棄手段と、
を備えることを特徴とする無線ＬＡＮシステムを提供する。
【００２９】
また、請求項３は、
無線ＬＡＮ（Ｌｏｃａｌ  Ａｒｅａ  Ｎｅｔｗｏｒｋ）用アクセスポイント装置と、前記アクセスポイント装置に対して無線ＬＡＮを通じて接続されると共に、前記無線ＬＡＮとは異なるＬＡＮに接続するためのＬＡＮインターフェースを備える１または複数個の無線ＬＡＮ用端末装置側ステーション装置と、前記ステーション装置の前記ＬＡＮインターフェースに対して前記無線ＬＡＮとは異なるＬＡＮを通じて接続される複数個の端末装置とを備える無線ＬＡＮシステムにおける通信管理方法であって、
前記ステーション装置は、
前記ＬＡＮインターフェースを介して到来するパケットに含まれる送信元識別情報を記憶する記憶工程と、
前記アクセスポイント装置から前記無線ＬＡＮを通じて送られてくるパケットに含まれる送信元識別情報と、前記記憶工程で記憶した前記送信元識別情報とを比較して、両者が一致したときには、当該パケットデータを破棄するデータ破棄工程と、
を備えることを特徴とする無線ＬＡＮシステムにおける通信管理方法を提供する。
【００３０】
上述の構成の請求項１および請求項３の発明においては、ステーション装置のＬＡＮインターフェースを通じて接続されている複数個の端末装置の一つからパケットが送出された場合、そのパケットのヘッダに含まれる送信元識別情報、例えば端末装置のＭＡＣアドレス情報が記憶される。
【００３１】
そして、アクセスポイント装置から送られてくるパケットを受信したとき、ステーション装置は、そのパケットに含まれる送信元識別情報と、記憶した送信元識別情報とを比較し、両者が一致したときには、当該戻ってきたパケットを破棄するようにする。
【００３２】
したがって、ブロードキャストのパケットやマルチキャストのパケットが、ステーション装置に対してＬＡＮを通じて接続されている複数個の一つの端末装置から送出された場合には、ステーション装置でアクセスポイント装置から戻ってくるパケットが破棄されるので、その後の、ブロードキャストパケットを送出した端末装置と受信した端末装置との間でのデータ通信が、図６の場合と同様にして行なわれる。
【発明の効果】
【００３３】
この発明によれば、ステーション装置に対してＬＡＮを通じて複数個の端末装置を接続した場合において、当該複数個の端末装置の一つからブロードキャストやマルチキャストのパケットを送出した場合においても、前述したような問題を生じることなくデータ通信が可能になる。
【発明を実施するための最良の形態】
【００３４】
以下、この発明による無線ＬＡＮシステムおよびその通信管理方法の実施形態を、図を参照しながら説明する。
【００３５】
図２は、実施形態の無線ＬＡＮシステムの全体構成を示すブロック図である。この実施形態においては、アクセスポイント装置１０に対して無線ＬＡＮ１３を通じて接続されるステーション装置の一つあるいは複数として、１個の端末装置３１〜３ｎのそれぞれが接続されるステーション装置２１〜２ｎとは異なる構成の新規のステーション装置４０が設けられる。
【００３６】
このステーション装置４０は、後述するように、この例では有線ＬＡＮの接続端子４０ａを備え、この有線ＬＡＮの接続端子４０ａに対してハブ５０を介して複数個の端末装置６１〜６ｎが接続される。端末装置６１〜６ｎ、例えばパーソナルコンピュータなどである。その他の構成は、図５と同様である。
【００３７】
図１は、この新規のステーション装置４０の構成例を示すブロック図である。この実施形態では、ステーション装置４０は、無線ＬＡＮドライバ部４１と、ブリッジ回路４２と、有線ＬＡＮドライバ部４３とを備えて構成されている。
【００３８】
無線ＬＡＮドライバ部４１は、無線ＬＡＮ１３を通じてアクセスポイント装置１０と無線通信するためのハードウエア部であり、ステーション装置２１〜２ｎが備えるものと基本的な構成は、ほぼ同一である。ただし、この実施形態の無線ＬＡＮドライバ部４１は、ステーション装置２１〜２ｎが備える無線ＬＡＮドライバ部とは、次の点が異なる。
【００３９】
すなわち、無線ＬＡＮドライバ部４１は、ステーション２１〜２ｎが所持しない発端末テーブルを備えることと、この発端末テーブルを用いた通信制御処理を後述するように行なう点が、ステーション装置２１〜２ｎが備える無線ＬＡＮドライバ部とは異なる。
【００４０】
有線ＬＡＮドライバ部４３は、この例では、イーサネット（登録商標）などの有線ＬＡＮ用のものであり、ＬＡＮインターフェース４３１を備え、このＬＡＮインターフェース４３１に有線ＬＡＮの接続端子４０ａが接続されている。
【００４１】
ブリッジ回路４２は、無線ＬＡＮドライバ部４１と有線ＬＡＮドライバ部４３との間で、送受パケットの橋渡しをするための回路である。この実施形態では、ブリッジ回路４２は、通信管理テーブルを備え、有線ＬＡＮドライバ部４３側から送られてくるパケットのヘッダに含まれる送信元端末装置の識別情報、この例ではＭＡＣアドレスを、有線ＬＡＮ側端末装置のアドレスとしてこの通信管理テーブルに登録すると共に、無線ＬＡＮ１３を通じてアクセスポイント装置１０側から送られてくるパケットのヘッダに含まれる送信元端末装置のＭＡＣアドレスを、アクセスポイント装置側端末装置のアドレスとして前記通信管理テーブルに登録して、端末装置間の通信を管理するようにする。
【００４２】
有線ＬＡＮドライバ部４３およびブリッジ回路４２の部分は、アクセスポイント装置１０が備える回路部を転用することができる。
【００４３】
そして、この実施形態においては、ブリッジ回路４２の通信管理テーブルに加えて、前述したように、発端末テーブルが無線ＬＡＮドライバ部４１に設けられる。この発端末テーブルには、有線ＬＡＮ側から送られてくるパケットのヘッダに含まれる送信元端末装置のＭＡＣアドレスが、発端末装置の識別情報として登録される。
【００４４】
そして、無線ＬＡＮドライバ部４１は、アクセスポイント装置から送られてくるパケットを受信したときに、この発端末テーブルに登録されているＭＡＣアドレスと、受信したパケットのヘッダに含まれる送信元のＭＡＣアドレスとを比較参照して、両ＭＡＣアドレスが一致したときには、受信パケットを破棄するようにする処理（受信パケット破棄処理機能）を行なうようにする。
【００４５】
次に、この実施形態におけるステーション装置４０の動作を説明する前に、無線ＬＡＮドライバ部４１に発端末テーブルが存在せず、また、受信パケット破棄処理機能を有しない場合に、端末装置６１〜６ｎのいずれかからブロードキャストのパケットが送出されたときに、不具合が発生する様子を、この発明の比較例として、図３のシーケンス図を参照して説明する。この図３のシーケンスも、端末装置６１〜６ｎの一つ、例えば端末装置６１が、ＡＲＰリクエストのパケットをブロードキャストにより送出した場合の例である。
【００４６】
すなわち、端末装置６１は、送信元アドレスとして自端末装置のＭＡＣアドレスをヘッダに含むＡＲＰリクエストのパケットをブロードキャストにより送出する。端末装置６１から送出されたＡＲＰリクエストのパケットは、ハブ５０を通じてステーション装置４０の有線ＬＡＮドライバ部４３に供給されると共に、ハブ５０から他の端末装置６２〜６ｎのそれぞれに送られる。
【００４７】
ＡＲＰリクエストのパケットを受け取ったステーション装置４０では、ブリッジ回路４２において、ＡＲＰリクエストのパケットに送信元識別情報として含まれる端末装置６１のＭＡＣアドレスを、通信管理テーブルに登録する。これにより、端末装置６１は有線ＬＡＮドライバ部４３側に接続されていると認識することができる。
【００４８】
アクセスポイント装置１０は、無線ＬＡＮ１３を通じてＡＲＰリクエストのパケットを受信すると、当該パケットはブロードキャストのパケットであるので、有線ＬＡＮ１１と、無線ＬＡＮ１３の両方に、当該ＡＲＰリクエストのパケットを送出する。
【００４９】
無線ＬＡＮ１３側に送出されたＡＲＰリクエストのパケットは、他のステーション装置を通じて他の端末装置に送られると共に、ステーション装置４０にも戻ってくる。図３の例では、無線ＬＡＮドライバ部４１には発端末テーブルが無く、また、受信パケット破棄機能も存在しないので、アクセスポイント装置１０から戻ってくるＡＲＰリクエストのパケットは、そのままブリッジ回路４２に送られる。
【００５０】
すると、ブリッジ回路４２では、戻ってきたＡＲＰリクエストのパケットのヘッダに含まれる送信元識別情報のＭＡＣアドレスを参照する。すると、当該送信元アドレスは、端末装置６１のＭＡＣアドレスであるので、先に通信管理テーブルに登録した端末装置６１の記述を書き換え、当該端末装置６１は、無線ＬＡＮ１３を通じたアクセスポイント装置１０側に接続されていると認識する。
【００５１】
一方、アクセスポイント装置１０から送られてきたＡＲＰリクエストのパケットを受信した端末装置１２は、受信したパケットが自端末装置１２宛てである場合には、ＡＲＰリクエストに対するＡＲＰレスポンスのパケットを、宛先を端末装置６１のＭＡＣアドレスとすると共に、送信元識別情報として自端末装置１２のＭＡＣアドレスをヘッダに含めて、ユニキャストによりアクセスポイント装置１０に送る。アクセスポイント装置１０は、ＡＲＰレスポンスのパケットを無線ＬＡＮ１３を通じてステーション装置４０に送る。
【００５２】
ＡＲＰレスポンスのパケットを受け取ったステーション装置４０の無線ＬＡＮドライバ部４１は、このＡＲＰレスポンスのパケットをブリッジ回路４２に転送する。ブリッジ回路４２は、このＡＲＰレスポンスのパケットのヘッダに含まれる宛先のＭＡＣアドレス、すなわち、端末装置６１のＭＡＣアドレスを、通信管理テーブルにて参照するが、当該通信管理テーブルには、当該ＭＡＣアドレスの端末装置６１はアクセスポイント装置側に接続されていると登録されているため、ＡＲＰレスポンスは、有線ＬＡＮドライバ部４３側には渡されない。このため、端末装置６１と端末装置１２との間のデータ通信は不能となってしまう。
【００５３】
なお、上述の説明は、端末装置６１〜６ｎのいずれかからブロードキャストのパケットを送出した場合であるが、端末装置６１〜６ｎのいずれかからマルチキャストのパケットを送出する場合であって、マルチキャストの宛先の端末装置に、端末装置６１〜６ｎのいずれかを含む場合にも、ステーション装置４０にマルチキャストのパケットが戻ってくるので、上述のブロードキャストのパケット送出時と同様の問題が生じる。
【００５４】
以上のように、無線ＬＡＮドライバ部４１が発端末テーブルを備えず、また、受信パケット破棄機能を備えない場合には、ブロードキャストやマルチキャストのパケットを端末装置６１〜６ｎのいずれかから送出した場合には、データ通信ができなくなってしまうという問題があるが、この実施形態では、無線ＬＡＮドライバ部４１は発端末テーブルを備えると共に、受信パケット破棄機能を備えるので、以下に説明するようにして上記問題点が改善される。
【００５５】
図４は、実施形態の構成の場合において、ブロードキャストのパケットを端末装置６１から送出した場合のシーケンス図である。
【００５６】
すなわち、端末装置６１は、送信元識別情報として自端末装置のＭＡＣアドレスをヘッダに含むＡＲＰリクエストのパケットをブロードキャストにより送出する。端末装置６１から送出されたＡＲＰリクエストのパケットは、ハブ５０を通じてステーション装置４０の有線ＬＡＮドライバ部４３に供給されると共に、ハブ５０から他の端末装置６２〜６ｎのそれぞれに送られる。
【００５７】
ＡＲＰリクエストのパケットを受け取ったステーション装置４０では、ブリッジ回路４２において、ＡＲＰリクエストのパケットに送信元識別情報として含まれる端末装置６１のＭＡＣアドレスを、通信管理テーブルに登録し、端末装置６１は有線ＬＡＮドライバ部４３に接続されていると認識する。
【００５８】
また、ステーション装置４０の無線ＬＡＮドライバ部４１では、ブリッジ回路４２から受け取ったパケットのヘッダ部に含まれる送信元端末装置６１のＭＡＣアドレスを、発端末テーブルに登録する。
【００５９】
アクセスポイント装置１０は、無線ＬＡＮ１３を通じてＡＲＰリクエストのパケットを受信すると、当該パケットはブロードキャストのパケットであるので、有線ＬＡＮ１１と、無線ＬＡＮ１３の両方に、当該ＡＲＰリクエストのパケットを送出する。
【００６０】
無線ＬＡＮ１３側に送出されたＡＲＰリクエストのパケットは、他のステーション装置を通じて他の端末装置に送られると共に、ステーション装置４０にも戻ってくる。ステーション装置４０の無線ＬＡＮドライバ部４１では、この戻ってきたパケットのヘッダに含まれる送信元端末装置６１のＭＡＣアドレスと、発端末テーブルに登録されている送信元端末装置６１のＭＡＣアドレスとを比較する。このとき、両ＭＡＣアドレスは、一致しているので、それを無線ＬＡＮドライバ部４１は判別し、戻ってきたパケットを破棄して、ブリッジ回路４２には渡さない。
【００６１】
一方、アクセスポイント装置１０から送られてきたＡＲＰリクエストのパケットを受信した端末装置１２は、受信したパケットが自端末装置１２宛てである場合には、ＡＲＰリクエストに対するＡＲＰレスポンスのパケットを、宛先を端末装置６１のＭＡＣアドレスとすると共に、送信元識別情報として自端末装置１２のＭＡＣアドレスをヘッダに含めて、ユニキャストによりアクセスポイント装置１０に送る。アクセスポイント装置１０は、このＡＲＰレスポンスのパケットを無線ＬＡＮ１３を通じてステーション装置４０に送る。
【００６２】
ステーション装置４０の無線ＬＡＮドライバ部４１は、このアクセスポイント装置１０からのＡＲＰレスポンスのパケットのヘッダに含まれる送信元端末装置のＭＡＣアドレスと、発端末テーブルに登録されている送信元端末装置のＭＡＣアドレスとを比較する。ＡＲＰレスポンスのパケットのヘッダに含まれる送信元端末装置のＭＡＣアドレスは、端末装置１２のＭＡＣアドレスであり、発端末テーブルに登録されているＭＡＣアドレスは、端末装置６１のＭＡＣアドレスであるので、無線ＬＡＮドライバ部４１は、両者は不一致であると判別し、当該パケットは破棄せず、ＡＲＰレスポンスのパケットをブリッジ回路４２に転送する。
【００６３】
ブリッジ回路４２は、ＡＲＰレスポンスのパケットのヘッダに含まれる宛先端末装置６１のＭＡＣアドレスを通信管理テーブルにおいて参照し、宛先端末装置６１は、有線ＬＡＮドライバ部４３側に接続されていると認識して、ＡＲＰレスポンスのパケットを有線ＬＡＮドライバ部４３に転送する。有線ＬＡＮドライバ部４３は、受け取ったＡＲＰレスポンスのパケットを、ハブ５０を通じて宛先端末装置６１に送る。
【００６４】
端末装置６１は、ＡＲＰレスポンスを受け取ると、所定のデータパケットを、ユニキャストにより端末装置１２に宛ててステーション装置２１およびアクセスポイント装置１０を通じて送る。また、端末装置１２は、所定のデータパケットを、ユニキャストにより端末装置６１に宛ててアクセスポイント装置１０およびステーション装置２１を通じて送る。つまり、両端末装置６１，１２間でデータ通信が行なわれることになる。
【００６５】
以上のようにして、この実施形態によれば、ステーション装置に対してハブを介して複数個の端末装置を接続するように構成した場合において、それら複数個の端末装置の一つからブロードキャストのパケットを送出したときにも、前述のような問題を回避して、データ通信を行なうことができる。
【００６６】
また、マルチキャストのパケットを送出したときにも、同様にして、戻ってきたパケットのヘッダの送信元識別情報と、発端末テーブルに登録されている送信元識別情報とを比較して、両者が一致しているときには、当該パケットを破棄するようにすることにより、前述のような問題を回避して、データ通信を行なうことができる。
【００６７】
なお、以上の実施形態は、ステーション装置４０に対して有線ＬＡＮを通じて複数の端末装置を接続するようにした場合であるが、ステーション装置４０に対して、無線ＬＡＮを通じて複数個の端末装置が接続される場合にも、この発明は適用可能である。
【００６８】
また、上述の実施形態では、端末装置の識別情報としてＭＡＣアドレスを用いたが、ＭＡＣアドレスに限られるものではないことは言うまでもない。
【図面の簡単な説明】
【００６９】
【図１】この発明による無線ＬＡＮシステムの実施形態のステーション装置の構成を説明するためのブロック図である。
【図２】この発明による無線ＬＡＮシステムの実施形態の構成例を示すブロック図である。
【図３】この発明による無線ＬＡＮシステムの比較例のシーケンス図である。
【図４】この発明による無線ＬＡＮシステムの実施形態の動作説明のためのシーケンス図である。
【図５】無線ＬＡＮシステムの構成例を説明するためのブロック図である。
【図６】図５の無線ＬＡＮシステムの動作説明のためのシーケンス図である。
【符号の説明】
【００７０】
１０  アクセスポイント装置
４０  ステーション装置
４１  無線ＬＡＮドライバ部
４２  ブリッジ回路
４３  有線ＬＡＮドライバ部
５０  ハブ
６１〜６ｎ  端末装置
【図１】
2005252415.tif 000003
【図２】
2005252415.tif 000004
【図３】
2005252415.tif 000005
【図４】
2005252415.tif 000006
【図５】
2005252415.tif 000007
【図６】
2005252415.tif 000008